(57)【要約】      （修正有）【課題】状況に応じた定量取出しが可能な錠剤用の容器を提案する。【解決手段】頂部において開口する口部１ａを有し、その下部に錠剤の収納空間Ｍを形成する本体部分１と、本体部分の口部に配置され、収納空間内の錠剤を計量するとともに容器の傾倒姿勢もしくは反転姿勢により計量した錠剤のみを排出する貯溜部２とを備えた定量取出し容器において、貯溜部を、口部の内周壁に固定保持され、隔壁２ａ２によって錠剤の計量空間Ｍ１を形成するアンダー部材２ａと、アンダー部材に合わさり、錠剤の排出口ｈ及び排出口と計量空間Ｍ１をつなぐ排出経路ｒを残してアンダー部材を密封状態に保持するアッパー部材２ｂで構成する。アンダー部材にガイドレール３を設け、アッパー部材にガイド４と、押圧ボタン５を設ける。【選択図】図１
2010052793.tif 000002
【特許請求の範囲】
【請求項１】
頂部において開口する口部を有し、その下部に錠剤の収納空間を形成する本体部分と、この本体部分の口部に配置され、収納空間内の錠剤を計量するとともに容器の傾倒姿勢もしくは反転姿勢により計量した錠剤のみを排出する貯溜部とを備えた定量取出し容器であって、
前記貯溜部は、口部の内周壁に固定保持され、隔壁によって錠剤の計量空間を形成するアンダー部材と、このアンダー部材に合わさり、錠剤の排出口及びこの排出口と計量空間とを相互につなぐ排出経路をそれぞれ残して該アンダー部材を密封状態に保持するアッパー部材からなり、
前記アンダー部材に、溝型断面をなすとともに収納空間内の錠剤の複数個を一列に整列させる傾斜付きのガイドレールを設け、
前記アッパー部材に、該ガイドレールにおいて整列された錠剤をガイドレールに沿って誘導するガイドと、該ガイドレールの傾斜末端にて錠剤を押し込んでレール開口部から計量空間内へと錠剤を一つずつ落下させる押圧ボタンを設けたことを特徴とする錠剤の定量取出し容器。
【請求項２】
前記押圧ボタンは、錠剤を直接押し込む押込み部材と、この押込み部材の上端部に一体連結して該押込み部材を上下動させる押圧板と、この押圧板を押込み部材とともに弾性支持するスプリングからなり、
該押圧板は、アッパー部材からの引き抜けを防止する係止筒体を有する、請求項１記載の錠剤の定量取出し容器。
【請求項３】
前記押込み部材は、押込みにかかる錠剤に隣接する錠剤の側部に当接して該錠剤の押込みを防止する切欠凹部を有する、請求項２記載の錠剤の定量取出し容器。
【発明の詳細な説明】
【技術分野】
【０００１】
本発明は、錠剤の定量取出し容器に関するものであり、手を触れることなしに必要な個数の錠剤を確実に取出そうとするものである。
【背景技術】
【０００２】
風邪薬等の錠剤を入れた容器は、その口部にねじ込み式のキャップが備え付けられたものが普通であって、容器から錠剤を取出すには、キャップを取り外したのち一方の手を容器の口部にあてがい、もう一方の手で容器を傾ける動作が採られていた。
【０００３】
ところで、上記のような従来の取出し要領では、必要な個数が得られるまで複数回にわたって錠剤を出し入れする必要があり、一旦手に触れたものを再び容器内へと戻すことにもなるため品質を保持する観点からも好ましいとはいえないのが現状であった。
【０００４】
このような状況に対応した先行技術としては、容器体の口頸部に計量栓を嵌着し、この計量栓に取り入れた錠剤のみを取出すようにした定量取出し容器が提案されている（例えば、特許文献１参照）。
【特許文献１】特許第３７３１７２８号明細書
【０００５】
かかる定量取出し容器によれば、容器内の内容物に一切手を触れることなしに所定量の錠剤を取出すことができることから、この種の容器にあっては極めて有用な容器であるとされていた。しかしながらかかる容器は、予め設定された量（個数）の取出しは可能ではあるものの、例えば、年齢に応じて服用量が異なる薬剤を取出す場合等には容易に対応できず、さらなる改善の余地が残されていた。
【発明の開示】
【発明が解決しようとする課題】
【０００６】
本発明の課題は、所望個数の錠剤を手に触れることなしに確実に取出すことができる新規な定量取出し器を提案するところにある。
【課題を解決するための手段】
【０００７】
本発明は、頂部において開口する口部を有し、その下部に錠剤の収納空間を形成する本体部分と、この本体部分の口部に配置され、収納空間内の錠剤を計量するとともに容器の傾倒姿勢もしくは反転姿勢により計量した錠剤のみを排出する貯溜部とを備えた定量取出し容器であって、
前記貯溜部は、口部の内周壁に固定保持され、隔壁によって錠剤の計量空間を形成するアンダー部材と、このアンダー部材に合わさり、錠剤の排出口及びこの排出口と計量空間をつなぐ排出経路を残して該アンダー部材を密封状態に保持するアッパー部材からなり、
前記アンダー部材に、溝型断面をなすとともに収納空間内の錠剤の複数個を一列に整列させる傾斜付きのガイドレールを設け、
前記アッパー部材に、該ガイドレールにおいて整列された錠剤をガイドレールに沿って誘導するガイドと、ガイドレールの傾斜末端にて錠剤を押し込んでレール開口部から計量空間内へと錠剤を一つずつ落下させる押圧ボタンを設けたことを特徴とする錠剤の定量取出し容器である。
【０００８】
上記の構成になる定量取出し容器において、押圧ボタンは、錠剤を直接押し込む押込み部材と、この押込み部材の上端部に一体連結して該押込み部材を上下動させる押圧板と、この押圧板を押込み部材とともに弾性支持するスプリングにて構成することが可能であり、該押圧板には、アッパー部材からの引き抜けを防止する係止筒体を設けることができる。
【０００９】
また、押込み部材には、押込みにかかる錠剤に隣接する錠剤の側部に当接して該錠剤の押込みを防止する切欠凹部を設けるのが好ましい。
【発明の効果】
【００１０】
ガイドレールに整列させた錠剤を、該レールの傾斜末端において押圧ボタンにより計量空間へ一つずつ落とし込むことが可能であり、錠剤を必要個数だけ確実に取出すことができる。
【発明を実施するための最良の形態】
【００１１】
以下、図面を用いて本発明をより具体的に説明する。
図１は本発明にしたがう定量取出し容器の実施の形態を模式的に示した図である。
【００１２】
図における１は錠剤の収納空間Ｍを形成する本体部分である。この本体部分１は、頂部において開口する口部１ａを有している。
【００１３】
また、２は本体部分１の口部１ａに配置され、収納空間Ｍ内の錠剤を計量するとともに、容器の傾倒姿勢もしくは反転姿勢により計量にかかる錠剤のみを排出する貯溜部である。
【００１４】
貯溜部２は、本体部分１の口部１ａの内周壁に嵌合して固定保持された例で示したアンダー部材２ａと、このアンダー部材２ａにその上部において合わさり該アンダー部材２ａを密封状態に保持するアッパー部材２ｂからなっている。
【００１５】
貯溜部２のアンダー部材２ａは、口部１ａの内周壁に適合する環状周壁２ａ１と、この環状周壁２ａ１の下端に一体連結して計量空間Ｍ１を形成する逆ドーム型をなす隔壁２ａ２にて構成されており、アッパー部材２ｂについては、錠剤の排出口ｈ及びこの排出口ｈと計量空間Ｍ１とを相互につなぐ排出経路ｒを形成する壁部２ｂ１と、この壁部２ｂ１の上部で一体的につながりアンダー部材２ａの上端凹部に適合して壁部２ｂ１を位置決めするフランジ部２ｂ２にて構成されている。
【００１６】
３はアンダー部材２ａの環状周壁２ａ１に一体的に設けられた例で示したガイドレールである。このガイドレール３（環状周壁２ａ１と同様の形状からなっている）は上方に向けて開放された溝型断面をなし、収納空間Ｍ内の錠剤の複数個を一列に配列することができるようになっており、その傾斜末端３ａに形成されたレール開口部３ｂが最も低くなるように傾斜がつけられている。ガイドレール３に傾斜をつけることによりガイドレール３に存在する錠剤は常に傾斜末端３ａへ向けて転がっていくため、錠剤の連続的な取出しが可能となる。
【００１７】
また、４はアッパー部材２ｂに設けられたガイドである。このガイド４はアッパー部材２ｂのフランジ部２ｂ２の下面から垂下させた壁部にて形成したものを例として示してあり、その下端面はガイドレール３において整列された錠剤の上端部にごく僅かな隙間を残して位置しており、ガイドレール３に存在する錠剤を傾斜末端３ａのレール開口部３ｂに到達するまで誘導するようになっている。このガイド４は錠剤のガイドレール３からの抜け出しを防止する機能をも有している。
【００１８】
また、５はアッパー部材２ｂに設けられた押圧ボタンである。この押圧ボタン５はガイドレール３の傾斜末端３ａにて錠剤を押し込んでレール開口部３ｂから計量空間Ｍ１へと錠剤を一つずつ落下させるものであって、錠剤を直接押し込む押込み部材５ａ（板状部材やロッド等が適用される）と、この押込み部材５ａの上端部に一体連結して該押込み部材５ａを上下動させる押圧板５ｂ（アッパー部材２ｂの上端面と面一になっている）と、この押圧板５ｂを押込み部材５ａとともに弾性支持するスプリング５ｃと、押圧板５ｂの下面に一体連結しアッパー部材２ｂからの引き抜けを防止する係止筒体５ｄから構成されている。押圧ボタン５を構成する構成部材のうち、係止筒体５ｄは先端に拡大係止部（引き抜け防止用の凸部）５ｄ１が形成されており、押圧板５ｂが最も上昇した位置（図１に示すような状態）でアッパー部材２ｂに設けられた孔部２ｂ３に案内筒部（孔部２ｂ３を取り囲むように立設されている）２ｂ４を通して係止されている。
【００１９】
さらに、図中６は押込み部材５ａの下端部に設けられた切欠凹部である。この切欠凹部６は、錠剤を押し込む際に、押し込みにかかる錠剤に隣接する錠剤の側部に当接するものであり、これにより隣接する錠剤の押し込みを防止して錠剤を一つずつ落下させることを可能としている。
【００２０】
上記の構成になる定量取出し容器は、押圧ボタン５を一回押すことで一つの錠剤が計量空間Ｍ１に落下することとなり、必要な個数だけ押圧ボタン５を押すだけで事足りることになる。計量空間Ｍ１内の錠剤を取出すには本体部分１を図２に示すように傾倒させるだけでよく、これにより計量空間Ｍ１内の錠剤は排出経路ｒ、排出口ｈを経て外界へと排出される。
【００２１】
本体部分１を傾倒させると、収納空間Ｍ内の錠剤はアッパー部材２ｂの壁部２ｂ１とガイドレール３との間に形成された隙間を通して錠剤がガイドレール３へと供給され、次の定量取出しに備えられる。
【００２２】
本体部分１の口部１ａにはねじ止めあるいはアンダーカット係合によるキャップを設けることが可能（図示せず）であり、これにより排出口ｈからの異物の侵入を防止することができる。
【００２３】
ガイドレール３は環状周壁２ａ１と同等の形状を有する湾曲形状として示したが、該ガイドレール３は可能ならば直線状にしてもよく、この点については限定されない。
【００２４】
さらに、押圧板５ｂを押込み部材５ａとともに弾性支持するスプリング５ｃについては、実施の形態では別体ものとして示したが、該スプリング５ｃは押圧ボタン５の押圧板５ｂに一体成形して垂下するものやアッパー部材２ｂから一体に立設するものを適用することも可能であり、この点についても限定はされない。
【産業上の利用可能性】
【００２５】
状況に応じた定量取出しが可能な容器が提供できる。
【図面の簡単な説明】
【００２６】
【図１】本発明にしたがう定量取出し容器の実施の形態を示した図である。
【図２】図１に示した取出し容器の使用状況を示した図である。
【符号の説明】
【００２７】
１    本体部分
１ａ  口部
２    貯溜部
２ａ  アンダー部材
２ｂ  アッパー部材
３    ガイドレール
４    ガイド
５    押圧ボタン
５ａ  押込み部材
５ｂ  押圧板
５ｃ  スプリング
５ｄ  係止筒体
６    切欠凹部
Ｍ    収納空間
Ｍ１  計量空間 
【図１】
2010052793.tif 000003
【図２】
2010052793.tif 000004